(57)【要約】【課題】抽選担当の店員を配置しておかなくても、買上げ商品のレシートを得た客であれば誰でも抽選に参加できるようにして、娯楽性を高める。【解決手段】ストアコンピュータ３は、レシート５に印字された抽選バーコード６のデータを蓄積記憶するための抽選結果実績ファイル８を有している。サービス情報端末２は、レシート５の抽選バーコード６を読み取るためのスキャナを有している。サービス情報端末２は、抽選バーコード６のデータが読み取られると、このデータが抽選結果実績ファイル８に蓄積されていないことを条件に抽選処理を行い、当選すると当選券７を発行する。【選択図】      図１
2006330810.tif 000002
【特許請求の範囲】
【請求項１】
顧客との商取引の明細が印字されたレシートから当該商取引を特定するためのデータを読取るデータ読取り手段と、
このデータ読取り手段により読取られたデータを蓄積記憶するデータ蓄積手段と、
前記データ読取り手段により読取られたデータが前記データ蓄積手段により蓄積されているデータ群の中に存在するか調べる重複データ検索手段と、
この重複データ検索手段により重複データ無しと判断されたことを条件に所定の特典を付与するための抽選処理を実行する抽選処理手段と、
を具備したことを特徴とするサービス情報処理装置。
【請求項２】
前記データ読取り手段が読取るデータは、商取引が行われた日付と当該商取引に対して発番される固有の取引番号とが含まれたバーコードであることを特徴とする請求項１記載のサービス情報処理装置。
【請求項３】
前記データ読取り手段により読取られたバーコードに含まれる日付が予め定義された日付か否かを判断する日付判断手段をさらに具備し、
前記抽選処理手段は、前記日付判断手段により前記バーコードに含まれる日付が予め定義された日付でありかつ前記重複データ検索手段により重複データ無しと判断されたことを条件に所定の特典を付与するための抽選処理を実行することを特徴とする請求項２記載のサービス情報処理装置。
【請求項４】
顧客との商取引の明細が印字されたレシートを発行するレシート発行手段を有した商品販売データ処理装置と、顧客に所定の特典を付与するための抽選処理を実行する抽選処理手段を有したサービス情報処理装置とからなり、
前記商品販売データ処理装置は、前記レシート発行手段により発行されるレシートに商取引が行われた日付と当該商取引に対して発番される固有の取引番号とが含まれたバーコードを印字させるバーコード印字制御手段を具備し、
前記サービス情報処理装置は、前記レシートに印字されたバーコードデータを読取るデータ読取り手段と、
このデータ読取り手段により読取られたデータを蓄積記憶するデータ蓄積手段と、
前記データ読取り手段により読取られたデータが前記データ蓄積手段により蓄積されているデータ群の中に存在するか調べる重複データ検索手段と、
この重複データ検索手段により重複データ無しと判断されたことを条件に前記抽選処理手段を実行させる制御手段と、
を具備したことを特徴とする抽選システム。
【発明の詳細な説明】
【技術分野】
【０００１】
本発明は、顧客に所定の特典を付与するための抽選処理を実行するサービス情報処理装置及びこの装置を用いた抽選システムに関する。
【背景技術】
【０００２】
従来、商品を購入した顧客に対して一定の条件下で付与される抽選を行い、抽選結果をレシートに印字出力して、顧客に知らしめるようにした抽選処理機能付ＰＯＳシステムがあった。
【０００３】
このＰＯＳシステムは、店頭のＰＯＳ端末装置で購入品の明細登録が終了し、精算のための締めキーが押下されると、ＰＯＳ端末装置から購入品の明細登録データ等をデータ処理装置に転送する。
【０００４】
データ処理装置は、ＰＯＳ端末装置から転送されたデータにより抽選処理を行い、抽選結果を示すデータをＰＯＳ端末装置に転送する。ＰＯＳ端末装置は、データ処理装置から転送された抽選結果を示すデータにより、当選であれば、購入品の明細データに当選券が印字されたレシートを発行する（例えば、特許文献１参照）。
【特許文献１】特開２００３−７７０６３号公報
【発明の開示】
【発明が解決しようとする課題】
【０００５】
しかしながら、従来の抽選処理機能付ＰＯＳシステムにおいては、ＰＯＳ端末装置で締めキーが押下される毎に自動的にデータ処理装置で抽選処理が行われ、その抽選結果を示すデータがレシートに印字されていただけであったので、客自身が積極的に参加して抽選を行うという娯楽性がなかった。また、抽選を望まない買物客に対しても抽選処理が行われていたので、効率が悪いという問題もあった。
【０００６】
そこで、店内に抽選会場を設け、買上げ商品のレシートを提示した客であれば誰でもくじ等の抽選に参加できるようにして、娯楽性のあるサービスを実施している店がある。しかしながら、このようなサービスを実施するためには抽選会場に店員を配置しておく必要があり、人件費がかさむといった問題があった。
【０００７】
本発明はこのような事情に基づいてなされたもので、その目的とするところは、抽選担当の店員を配置しておかなくても、買上げ商品のレシートを得た客であれば誰でも抽選に参加でき、買物客に娯楽性の高いサービスを与えることができるサービス情報処理装置およびこの装置を用いた抽選システムを提供しようとするものである。
【課題を解決するための手段】
【０００８】
本発明は、顧客との商取引の明細が印字されたレシートを発行するレシート発行手段を有した商品販売データ処理装置と、顧客に所定の特典を付与するための抽選処理を実行する抽選処理手段を有したサービス情報処理装置とからなる。商品販売データ処理装置は、レシート発行手段により発行されるレシートに、商取引を特定するためのデータ、例えば当該商取引が行われた日付と当該商取引に対して発番される固有の取引番号とが含まれたバーコードを印字させるバーコード印字制御手段を具備する。サービス情報処理装置は、レシートに印字された商取引を特定するためのデータ、例えばバーコードデータを読取るデータ読取り手段と、このデータ読取り手段により読取られたデータを蓄積記憶するデータ蓄積手段と、データ読取り手段により読取られたデータがデータ蓄積手段により蓄積されているデータ群の中に存在するか調べる重複データ検索手段と、この重複データ検索手段により重複データ無しと判断されたことを条件に抽選処理手段を実行させる制御手段とを具備する。
【０００９】
このような構成により、買物を済ませて決済を終えた客は、商品販売データ処理装置から発行されたレシートを持ってサービス情報処理装置が置かれている場所へ行く。そして、サービス情報処理装置のデータ読取手段を動作させる。そうすると、当該レシートから商取引を特定するためのデータが読み取られ、データ蓄積手段に蓄積されているデータと照合されて、重複なしが判定されると抽選処理が実行される。そして、読み取られたデータはデータ蓄積手段に蓄積される。したがって、買物を済ませた客は、１回の買物につき１回だけ自主的に抽選に参加することができる。店側は、抽選担当の店員を配置しておく必要はない。
【発明の効果】
【００１０】
本発明によれば、抽選担当の店員を配置しておかなくても、買上げ商品のレシートを得た客であれば誰でも抽選に参加でき、買物客に娯楽性の高いサービスを与えることができるサービス情報処理装置および抽選システムを提供できる。
【発明を実施するための最良の形態】
【００１１】
以下、本発明を実施するための最良の形態について、図面を用いて説明する。  
図１は本実施の形態における抽選システムの概略構成図である。この抽選システムは、商品販売データ処理装置としての複数台のＰＯＳ端末１と、サービス情報処理装置の一部としての複数台のサービス情報端末２と、これらの端末１，２を制御し、サービス情報処理装置の一部として機能するストアコンピュータ３とで構成している。ストアコンピュータ３と各端末１，２とは、ＬＡＮ（Local Area Network）等の通信回線４で接続している。
【００１２】
各ＰＯＳ端末１は、顧客との商取引の明細が印字されたレシート５を発行するレシート発行手段を有している。レシート５には、商取引を特定するためのデータとしてバーコード６が印字される。このバーコード６には、図２に示すように、２桁のコード種別用フラグと、５桁の日付データと、１桁のレジ番号と、４桁の取引番号と、１桁のチェックデジットとが含まれている。日付データは、当該レシートの商取引が行われた日付であり、先頭の１桁で年を示し、次の２桁で月を示し、残りの２桁で日を示している。例えば、２００５年４月２４日であれば「５０４２４」となる。レジ番号は、ＰＯＳ端末１を識別するためのコードである。予め各ＰＯＳ端末１にはそれぞれ独自のレジ番号が設定されている。取引番号は、当該ＰＯＳ端末１にて処理された商取引を識別するためのコードである。各ＰＯＳ端末１では、商取引が決済される毎にカウントアップされるカウント値が取引番号として発番される。
【００１３】
各サービス情報端末２は、レシート５に印字されたバーコード６のデータ、つまりは商取引を特定するためのデータを読取るデータ読取手段を有している。また各サービス情報端末２は、顧客に所定の特典を付与するための抽選処理を実行する抽選処理手段を有している。そして抽選処理の結果、当選すると、当選券７を発行するものとなっている。
【００１４】
ストアコンピュータ３は、各サービス情報端末２のデータ読取り手段により読取られたデータを蓄積記憶するデータ蓄積手段として抽選結果実績ファイル８を有している。抽選結果実績ファイル８には、ストアコンピュータ３の作用により、図３に示すように、データ読取り手段により読取られたバーコード６のデータに対応して、当該データによって特定される商取引の顧客に対して抽選処理が実施された日時のデータと、当該抽選処理が実施されたサービス情報端末２を識別するためのデータすなわち端末番号と、抽選結果を示すデータである等賞番号とが順次記憶されるようになっている。
【００１５】
図４はＰＯＳ端末１の要部構成を示すブロック図である。図示するように、ＰＯＳ端末１は、制御部本体としてＣＰＵ（Central Processing Unit）１１を備えている。また、プログラムデータ等の固定的データが予め格納されたＲＯＭ（Read Only Memory）１２、商品販売データの登録処理などに使用される種々のメモリエリアが形成されたＲＡＭ（Random Access Memory）１３、現在の日時を計時する時計部１４、商品に付されたバーコード等を読取るためのスキャナが接続されるスキャナインターフェイス１６、キーボード１７のキー入力を制御するキーボードコントローラ１８、オペレータ用表示器１９のデータ表示を制御する表示コントローラ２０、客用表示器２１のデータ表示を制御する表示コントローラ２２、プリンタ２３の印字動作を制御するプリンタコントローラ２４、ドロワ２５に信号を出力するＩ／Ｏポート２６等を備えている。ＣＰＵ１１と、ＲＯＭ１２，ＲＡＭ１３，時計部１４，通信インターフェイス１５，スキャナインターフェイス１６，キーボードコントローラ１８，表示コントローラ２０，表示コントローラ２２，プリンタコントローラ２４およびＩ／Ｏポート２６とは、アドレスバス，データバス等のバスライン２７で接続している。
【００１６】
キーボード１７には、特に、商取引の登録締めを制限する締めキーが設けられている。プリンタ２３は、レシートを印字するためのもので、このプリンタ２３とプリンタコントローラ２４とによって、レシート発行手段が構成されている。
【００１７】
図５はＰＯＳ端末１で実行される商取引処理に関するＣＰＵ１１の主要な制御手順を示す流れ図である。すなわちＣＰＵ１１は、ＳＴ（ステップ）１として商取引で売買される商品が登録されるのを待機している。そして、例えばスキャナインターフェイス１６に接続されたスキャナから商品のバーコードデータが入力されたならば商品登録ありと判断し、ＳＴ２の処理に進む。
【００１８】
ＳＴ２では、ＣＰＵ１１は、商取引の１点目の登録であるか否かを判断する。１点目の登録である場合には、ＳＴ３として時計部１４から取引日時データを取得する。２点目以降の登録である場合には、ＳＴ３の処理をジャンプする。
【００１９】
次にＣＰＵ１１は、ＳＴ４として登録された商品の販売データを処理する。そして、登録商品の品名，価格などをオペレータ用表示器１９と客用表示器２１とに表示させる。しかる後、商取引の登録締めが宣言されたか否かを判断する。登録締めが宣言されず、次の商品登録が行われたならば、ＣＰＵ１１は、ＳＴ４の商品販売データ処理を実行する。
【００２０】
キーボードコントローラ１８を介してキーボード１７の締めキーが操作されたことを検知すると、ＣＰＵ１１は、登録締めが宣言されたと判断する。そしてＣＰＵ１１は、ＳＴ６として取引番号カウンタをカウントアップして当該商取引に対する固有の取引番号を発番する。しかる後、ＣＰＵ１１は、ＳＴ７として決済処理を行う。例えば現金取引の場合には、預り金額から当該商取引の合計金額を減算して釣銭額を算出する。そして、釣銭額をオペレータ用表示器１９と客用表示器２１とに表示させる。
【００２１】
次にＣＰＵ１１は、ＳＴ８として当該商取引の明細データを編集する。また、ＳＴ９として当該商取引が抽選条件を満足するか否かを判断する。例えば抽選条件として取引時間帯が設定されていた場合には、ＳＴ３の処理で取得した当該商取引の開始日時が該当時間帯に含まれるか否かを判断し、該当時間帯に含まれる場合には抽選条件を満足するので、ＳＴ１０の処理に進む。また、抽選条件として下限金額が設定されていた場合には、ＳＴ７の決済処理で取得した当該商取引の合計金額が下限金額以上か否かを判断し、下限金額以上の場合には抽選条件を満足するので、ＳＴ１０の処理に進む。なお、抽選条件が未設定の場合には、すべての商取引が抽選条件を満足するものとして、ＳＴ１０の処理に進む。抽選条件を満足しない場合には、ＳＴ１０の処理は行わない。
【００２２】
ＳＴ１０では、ＣＰＵ１１は、抽選バーコード６を編集する。すなわちＳＴ３の処理で取得した日付データと、当該ＰＯＳ端末１に対して予め設定されているレジ番号と、ＳＴ６の処理で更新された取引番号とから、図２に示すデータレイアウトの抽選バーコード６を編集する。
【００２３】
しかる後、ＣＰＵ１１は、ＳＴ１１としてＳＴ８の処理で編集した取引明細データをプリンタ２３に出力してレシート用紙に印字させる。次にＣＰＵ１１は、ＳＴ１２として抽選バーコードのデータが編集されているか否かを判断する。そしてＳＴ１０の処理で抽選バーコードのデータが編集されていた場合には、ＳＴ１３としてこの抽選バーコードのデータをプリンタ２３に出力してレシート用紙に印字させる。抽選バーコードのデータが編集されていない場合には、ＳＴ１３の処理は行わない。
【００２４】
しかる後、ＣＰＵ１１は、ＳＴ１４としてプリンタコントローラ２４にレシートの発行を指示する。また、ＳＴ１５としてＩ／Ｏポート２６からドロワ２５にドロワオープン信号を出力する。これにより、プリンタ２３のカッタが動作してレシート用紙が切断され、当該商取引のレシートとして発行される。また、ドロワ２５が開放動作する。
【００２５】
このように本実施の形態においては、ＰＯＳ端末１にて商取引が処理される毎に、この商取引が予め設定されている抽選条件を満足するか否かが判断される。そして満足する場合には、当該商取引が実行された日付と当該商取引を識別するための取引番号とが含まれた抽選バーコード６が当該商取引の買上レシート５に印字される。
【００２６】
図６はサービス情報端末２の要部構成を示すブロック図である。図示するようにサービス情報端末２は、制御部本体としてＣＰＵ３１を備えている。また、抽選処理プログラム５１等のプログラムデータが予め格納されたＲＯＭ３２、当選券名称テーブル５２等のメモリエリアが形成されたＲＡＭ３３、日時を計時する時計部３４、前記通信回線４を介して行うデータの送受信を制御する通信インターフェイス３５、キーボード３６のキー入力を制御するキーボードコントローラ３７、表示器３８のデータ表示を制御する表示コントローラ３９、プリンタ４０の印字動作を制御するプリンタコントローラ４１、スキャナ４２が接続されるスキャナインターフェイス４３等を備えている。ＣＰＵ３１と、ＲＯＭ３２，ＲＡＭ３３，時計部３４，通信インターフェイス３５，スキャナインターフェイス４３，キーボードコントローラ３７，表示コントローラ３９およびプリンタコントローラ４１とは、アドレスバス，データバス等のバスライン４４で接続している。
【００２７】
当選券名称テーブル５２は、図７に示すように、抽選結果である各等賞番号に対応して、任意の当選券名称データを記憶するメモリエリアである。因みに、本実施の形態では、等賞番号「１」に対応して名称データ「１等当選券」が設定され、等賞番号「２」に対応して名称データ「２等当選券」が設定され、等賞番号「３」に対応して名称データ「３等当選券」が設定され、等賞番号「４」及び「８」に対応して名称データ「４等当選券」が設定され、等賞番号「５」，「６」及び「７」に対応して名称データ「５等当選券」が設定されている。等賞番号「９」及び「０」に対しては、名称データは設定されていない。
【００２８】
しかしてＣＰＵ３１は、例えばキーボード３６の所定キー入力により抽選処理モードが選択されると、前記抽選処理プログラム５１を起動して、図８の流れ図に示す制御手順の抽選処理を実行するものとなっている。
【００２９】
すなわちＣＰＵ３１は、ＳＴ２１として抽選バーコード６がスキャニングされるのを待機している。そして、スキャナインターフェイス４３に接続されたスキャナ４２により抽選バーコード６がスキャニングされたことを検知すると、ＣＰＵ３１は、ＳＴ２２以降の処理を実行する。
【００３０】
ＳＴ２２では、スキャニングされたバーコードデータを解析して商取引の日付を取得する。そして、商取引日付を取得したならば、ＣＰＵ３１は、ＳＴ２３としてこの商取引日付と時計部３４にて計時されている現在日付とを照合して抽選の可否を判断する。例えば、商取引の当日のみ抽選可能とする場合には、ＣＰＵ３１は、商取引日付が現在日付と一致した場合に抽選可能であると判断する。また、商取引の前日でも抽選可能とする場合には、ＣＰＵ３１は、商取引日付が現在日付もしくは現在日付の前日と一致した場合に抽選可能であると判断する（日付判断手段）。
【００３１】
ＳＴ２３にて抽選可能と判断した場合には、ＣＰＵ３１は、ＳＴ２４として当該バーコードデータをストアコンピュータ３に送信して、抽選結果実績ファイル８の検索を要求する。これにより、ストアコンピュータ３では抽選結果実績ファイル８が検索されて当該バートーゴデータと一致するデータがすでに記憶されているか否かが判断される。そして、記憶されていない場合には重複なしの応答データが返信され、記憶されている場合には重複ありの応答データが返信される（重複データ検索手段）。
【００３２】
そこでＣＰＵ３１は、ＳＴ２５としてストアコンピュータ３からの応答データを待機する。そして、重複なしの応答データを受信した場合には、ＣＰＵ３１は、ＳＴ２６として抽選処理を実行する。本実施の形態では、０〜９の数値のうちの１桁を乱数的に発生させ、この数を等賞番号とする（抽選処理手段）。
【００３３】
ＣＰＵ３１は、ＳＴ２７として抽選処理の結果、等賞番号を取得したならば、ＳＴ２８としてこの等賞番号で当選券名称テーブル５２を検索して当該等賞番号に対して当選券名称が設定されているか否かを判断する。そして、当選券名称が設定されている場合には、ＣＰＵ３１は、ＳＴ２９としてこの当選券名称データをプリンタ４０に出力して、所定の当選券用紙に印字させ、当選券７として発行させる。これに対し、当選券名称が設定されていない場合には、ＣＰＵ３１は、ＳＴ３０として表示器３８に「落選」を表示させる。
【００３４】
しかる後、ＣＰＵ３１は、ＳＴ３１として当該バーコードデータと時計部３４にて計時されている現在の日付及び時刻データと、当該サービス情報端末２に対して予め設定されている端末番号と、抽選処理よって発番された等賞番号とから抽選結果実績データを作成する。そしてこの抽選結果実績データをストアコンピュータ３に送信し、抽選結果実績ファイル８に追加格納されたならば、今回の抽選バーコードスキャニングに対する制御処理を終了する。
【００３５】
なお、ＳＴ２３にて抽選不可能と判断された場合、及びＳＴ２５にて重複ありと判断された場合には、ＣＰＵ３１は、ＳＴ３２として表示器３８に「抽選不可」を表示させて、今回の抽選バーコードスキャニングに対する制御処理を終了する。
【００３６】
このように本実施の形態においては、店内での買物を終え、ＰＯＳ端末１から発行されたレシート５を得た買物客が自らサービス情報端末２に近づき、当該レシート５に印字されている抽選バーコード６をスキャナ４２で読み取らせると、所定の抽選条件を満足する場合に限り抽選処理が実行される。そして、当選した場合には当選券７がプリンタ４０により印字され発行される。なお、当選券７は、金品との引換券や，割引券，クーポン券等が考えられる。また、この他のものであってもよい。
【００３７】
ここで、抽選条件の１つとして、抽選バーコード６と同一のバーコードデータが抽選結果実績ファイル８にすでに記憶されているか否かの判断がある。すなわち、抽選バーコード６と同一のバーコードデータが抽選結果実績ファイル８に記憶されていない場合には抽選条件を満足するが、記憶されている場合には抽選条件を満足しないと判断される。抽選結果実績ファイル８には、過去に抽選処理が実行された抽選バーコード６のデータがすべて蓄積記憶されている。したがって、１回の商取引に対して１回のみ抽選処理が可能となるように自動的に制限される。
【００３８】
また、抽選条件の１つとして、抽選バーコード６に含まれる日付データの日付があらかじめ設定されている日付または期間に該当するか否かの判断がある。すなわち、抽選バーコード６の日付が設定日付または期間に該当する場合には抽選条件を満足するが、該当しない場合には抽選条件を満足しないと判断される。したがって、抽選バーコード６による抽選処理の実施有効期間を、例えば当日のみや前日までというように制限することができる。
【００３９】
かくして本実施の形態によれば、抽選担当の店員を配置しておかなくても、買上げ商品のレシートを得た客であれば誰でも抽選に参加することができる。このため、買物客に娯楽性の高いサービスを与えることができるので、集客率のアップにつながる。
【００４０】
なお、この発明は前記実施形態そのままに限定されるものではなく、実施段階ではその要旨を逸脱しない範囲で構成要素を変形して具体化できる。
【００４１】
例えば前記実施の形態では、データ読取手段と抽選処理手段とをサービス情報端末２が有し、データ蓄積手段と重複データ検索手段とをストアコンピュータが有して、本発明のサービス情報処理装置を構成したが、データ蓄積手段及び重複データ検索手段もサービス情報端末２が有するようにして、単体でサービス情報処理装置を構成してもよい。
【００４２】
また、前記実施の形態では、レシート５に抽選バーコード６を印字し、この抽選バーコードをスキャナで読み取ることによって商取引を特定するための日付と取引番号を取得したが、スキャナの代わりに光学式文字読取装置いわゆるＯＣＲを接続し、レシートに印字されている文字を読み取りその文字情報を解析して、商取引を特定するための日付と取引番号を取得してもよい。こうすることにより、レシート５に抽選バーコード６を印字する必要はなくなるので、既存のＰＯＳ端末や電子式キャッシュレジスタを使用する店舗でも本発明の抽選システムを即時導入することができる。
【００４３】
また、サービス情報端末２が実行する抽選処理の内容や当選結果の通知方法等は、前記実施の形態のもの、つまりは等賞番号の乱数発生や当選券の発行に限定されないのは言うまでもないことである。  
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組み合わせてもよい。
【図面の簡単な説明】
【００４４】
【図１】本発明の一実施の形態である抽選システムの概略構成図。
【図２】抽選バーコードのデータレイアウトを示す模式図。
【図３】抽選結果実績ファイルのデータ構造を示す模式図。
【図４】ＰＯＳ端末の要部構成を示すブロック図。
【図５】ＰＯＳ端末のＣＰＵが実行する商取引処理の主要な制御手順を示す流れ図。
【図６】サービス情報端末の要部構成を示すブロック図。
【図７】当選券名称テーブルのデータ構造を示す模式図。
【図８】サービス情報端末の抽選処理プログラム起動時のＣＰＵの主要な制御手順を示す流れ図。
【符号の説明】
【００４５】
１…ＰＯＳ端末、２…サービス情報端末、３…ストアコンピュータ、４…通信回線、５…レシート、６…抽選バーコード、７…当選券、８…抽選結果実績ファイル、５１…抽選処理プログラム、５２…当選券名称テーブル。
【図１】
2006330810.tif 000003
【図２】
2006330810.tif 000004
【図３】
2006330810.tif 000005
【図４】
2006330810.tif 000006
【図５】
2006330810.tif 000007
【図６】
2006330810.tif 000008
【図７】
2006330810.tif 000009
【図８】
2006330810.tif 000010